(57)【要約】【課題】複数のバキュームブレーカ設けられた場合において小型化することができる、あるいは組立性を簡素化することができる衛生洗浄装置を提供することを目的とする。【解決手段】給水手段から供給された水を加熱する加熱装置と、前記加熱装置で加熱された水を噴射する吐水手段と、前記給水手段から供給された水を前記加熱装置を介して前記吐水手段に供給する水路と、前記水路の給水手段から吐水手段に至るまでの間に配置された第一のバキュームブレーカおよび第二のバキュームブレーカと、を備え、前記第一のバキュームブレーカおよび第二のバキュームブレーカのそれぞれから排水された水は、前記第一のバキュームブレーカおよび第二のバキュームブレーカで共用の排水ガイドによって排出されることを特徴とする衛生洗浄装置が提供される。【選択図】図８
2011208432.tif 000002
【特許請求の範囲】
【請求項１】
給水手段から供給された水を加熱する加熱装置と、
前記加熱装置で加熱された水を噴射する吐水手段と、
前記給水手段から供給された水を前記加熱装置を介して前記吐水手段に供給する水路と、
前記水路の給水手段から吐水手段に至るまでの間に配置された第一のバキュームブレーカおよび第二のバキュームブレーカと、
を備え、
前記第一のバキュームブレーカおよび第二のバキュームブレーカのそれぞれから排水された水は、前記第一のバキュームブレーカおよび第二のバキュームブレーカで共用の排水ガイドによって排出されることを特徴とする衛生洗浄装置。
【請求項２】
前記水路に設けられ、前記水を電気分解する電解槽をさらに備え、
前記第一のバキュームブレーカは、前記電解槽の上流側に配置され、前記第二のバキュームブレーカは、前記電解槽の下流側に配置されたことを特徴とする請求項１記載の衛生洗浄装置。
【請求項３】
前記第一のバキュームブレーカ及び第二のバキュームブレーカは、
フロート弁と、
前記フロート弁の台座が設けられた下ケースと、
前記フロート弁のリフト量を一定の量で抑え、前記第一のバキュームブレーカと前記第二のバキュームブレーカとで共用化され一体成形された上ケースと、
を有することを特徴とする請求項１または２に記載の衛生洗浄装置。
【請求項４】
前記一体成形された上ケースは、
前記第一のバキュームブレーカから排水された水を前記排水ガイドに導く第一の排水経路と、
前記第二のバキュームブレーカから排水された水を前記排水ガイドに導く第二の排水経路と、
前記第一および第二の排水経路を流れる水が前記排水ガイドに至るまで互いに合流しないように縁切りする壁と、
を有することを特徴とする請求項３記載の衛生洗浄装置。
【請求項５】
前記下ケースは、前記第一のバキュームブレーカと第二のバキュームブレーカとで共用化され一体成形されたことを特徴とする請求項３記載の衛生洗浄装置。
【請求項６】
前記第一のバキュームブレーカの下ケースは、
前記加熱装置と締結されたことを特徴とする請求項３〜５のいずれか１つに記載の衛生洗浄装置。
【発明の詳細な説明】
【技術分野】
【０００１】
本発明は、衛生洗浄装置に関する。
【背景技術】
【０００２】
人体の局部を洗浄するノズル１４４を有する衛生洗浄装置において、例えば特許文献１のように加熱装置１２５の上下流にバキュームブレーカ１５０ａ、１５０ｂを配置したものがある（図１０参照）。  
加熱装置は、例えば貯湯式のようにタンク内に水を貯め、タンク内のヒータによって洗浄水を加熱する物や、瞬間式のように洗浄水が加熱装置内を通過するときにヒータによって加熱する物がある。貯湯式、瞬間式共に空炊き防止として、例えばフロート装置等の空炊き防止装置が設けられている。しかし、万が一この空炊き防止装置が故障した場合、加熱装置内が空の状態であると、空炊きが生じてしまう。これを防止するために、加熱装置の上下流に、バキュームブレーカを配置し、加熱装置内に水を残している。
【０００３】
また人体の局部を洗浄するノズルを有する衛生洗浄装置において、例えば特許文献２のように衛生の向上を目的として、菌の繁殖を防ぐ機能水を生成する電解槽を備えた衛生洗浄装置がある。  
電解槽には近接した１組の電極が備えられており、この電極間に水を満たした状態で電極間に電流を通電することで電気分解が行われる。これにより、機能水が生成される。この電気分解を行う際、電極間に水が満たされていることが重要である。例えば、電極間に部分的に水が存在し、電極間の一部をつないだ状態で電流を流した場合、その水が存在する部分に集中的に電流が流れることになる。このように電極の一部に集中して電流が流れると電極表面にコーティングされた触媒層が急激に消費され性能を失い、再度通水した際に、正常な機能を発揮しなくなる。特許文献２に記載されるように電解槽を配置した場合、加熱装置直後のバキュームブレーカによって電解槽内の水が抜けてしまう。
【０００４】
バキュームブレーカは、負圧を破壊するための吸気口を必要とする。また、この吸気口は、フロート弁のごみ噛み時の排水口ともなる。  
フロート弁を介して給水手段から流れてくる水が排水口へ流れた場合、外部への漏水等が生じないように衛生洗浄装置の各ユニットを固定するケーシング本体に排水経路を設け、その経路に確実に排水されるようにチューブ等でガイドすることが一般的である。複数のバキュームブレーカを設けているものにおいては、この排水口も複数となり、それに応じて複数の排水経路及びガイドが必要となる。
【０００５】
しかしながら、複数のバキュームブレーカを用いた衛生洗浄装置の水路構成においては、ケーシング本体の排水形状及びチューブ等のガイドが複雑になり、また複数のチューブ等のガイドが必要となるため、製品の小型化やコストの面で問題がある。
【先行技術文献】
【特許文献】
【０００６】
【特許文献１】特開２００８−２２３４６８号公報
【特許文献２】特開平８−９３０３４号公報
【発明の概要】
【発明が解決しようとする課題】
【０００７】
本発明はかかる課題の認識に基づいてなされたもので、複数のバキュームブレーカが設けられた場合において小型化することができる、あるいは組立性を簡素化することができる衛生洗浄装置を提供することを目的とする。
【課題を解決するための手段】
【０００８】
第一の発明は、給水手段から供給された水を加熱する加熱装置と、前記加熱装置で加熱された水を噴射する吐水手段と、前記給水手段から供給された水を前記加熱装置を介して前記吐水手段に供給する水路と、前記水路の給水手段から吐水手段に至るまでの間に配置された第一のバキュームブレーカおよび第二のバキュームブレーカと、を備え、前記第一のバキュームブレーカおよび第二のバキュームブレーカのそれぞれから排水された水は、前記第一のバキュームブレーカおよび第二のバキュームブレーカで共用の排水ガイドによって排出されることを特徴とする衛生洗浄装置である。
【０００９】
第一の発明によれば、二つのバキュームブレーカの各排水口から流れる水をケーシングの排水経路へ案内するための排水ガイドを共通化することで、ケーシングの排水経路が一つになり、ケーシングの形状が簡素化される。これにより、衛生洗浄装置の小型を図ることができる。また、衛生洗浄装置の組立性を簡素化することができる。
【００１０】
第二の発明は、第一の発明において、前記水路に設けられ、前記水を電気分解する電解槽をさらに備え、前記第一のバキュームブレーカは、前記電解槽の上流側に配置され、前記第二のバキュームブレーカは、前記電解槽の下流側に配置されたことを特徴とする衛生洗浄装置である。
【００１１】
第二の発明によれば、電解槽の上流・下流にそれぞれ配置した２つのバキュームブレーカにより、電解槽の内部を常時満水にすることができるので、電解槽の電極間の局所部分に集中的に電流が流れることがなく、電極の機能低下を防ぐことができる。
【００１２】
第三の発明は、第一または第二の発明において、前記第一のバキュームブレーカ及び第二のバキュームブレーカは、フロート弁と、前記フロート弁の台座が設けられた下ケースと、前記フロート弁のリフト量を一定の量で抑え、前記第一のバキュームブレーカと前記第二のバキュームブレーカとで共用化され一体成形された上ケースと、を有することを特徴とする衛生洗浄装置である。
【００１３】
第三の発明によれば、第一のバキュームブレーカの上ケースと第二のバキュームブレーカの上ケースが一体成形されているため、第一、第二のバキュームブレーカの上ケースは共用化され一体になる。そのため、第一、第二のバキュームブレーカの組立工数が削減され、組立性がよくなる。また、二個のバキュームブレーカを必要とするものにおいて、各々ケーシングへの固定が必要となる。これに対して、第三の発明によれば、第一、第二のバキュームブレーカは一体となるため、一個のバキュームブレーカの固定と同様の固定でよくなる。これによりケーシングへの固定がより簡略化されることとなる。
【００１４】
第四の発明は、第三の発明において、前記一体成形された上ケースは、前記第一のバキュームブレーカから排水された水を前記排水ガイドに導く第一の排水経路と、前記第二のバキュームブレーカから排水された水を前記排水ガイドに導く第二の排水経路と、前記第一および第二の排水経路を流れる水が前記排水ガイドに至るまで互いに合流しないように縁切りする壁と、を有することを特徴とする衛生洗浄装置である。
【００１５】
通常第一、第二のバキュームブレーカが共有している排水ガイドに至るまで、接続をチューブ等の配管部材で接続する必要がある。これに対して、第四の発明のように、一体化された上ケースに、排水ガイド及び排水経路を設け、且つ各フロート弁を介して排水される供給水が排水口に至るまで合流しないように壁を設け、縁切り構造にすることで、チューブ等の配管部材が不要となり、よりケーシングへの組立等が簡略化され、製品の小型が可能となる。
【００１６】
第五の発明は、第三の発明において、前記下ケースは、前記第一のバキュームブレーカと第二のバキュームブレーカとで共用化され一体成形されたことを特徴とする衛生洗浄装置である。
【００１７】
第五の発明によれば、前記第一、第二のバキュームブレーカの下ケースが一体となるため、部品点数が削減され、コスト削減につながる。
【００１８】
第六の発明は、第三〜第五のいずれか１つの発明において、前記第一のバキュームブレーカの下ケースは、前記加熱装置と締結されたことを特徴とする衛生洗浄装置である。
【００１９】
第六の発明によれば、前記第一のバキュームブレーカの下ケースが前記加熱装置と一体であるため、前記加熱装置をケーシングに固定することで、前記第一、第二のバキュームブレーカも同様にケーシングに固定される。そのため、より製品の小型が可能となる。  
なお、上記バキュームブレーカの下ケースと、加熱装置の締結はネジ等による締結であってもよい。
【発明の効果】
【００２０】
本発明によれば、複数のバキュームブレーカが設けられた場合において小型化することができる、あるいは組立性を簡素化することができる衛生洗浄装置が提供される。
【図面の簡単な説明】
【００２１】
【図１】本発明の実施の形態にかかる衛生洗浄装置が備えられたトイレ装置の模式斜視図である。
【図２】本発明の第一の実施形態にかかる衛生洗浄装置の水路構成を表すブロック図である。
【図３】電解槽ユニットの内部構成を表す分解斜視図である。
【図４】本発明の第一の実施形態にかかる衛生洗浄装置のバキュームブレーカの模式断面図である。
【図５】本発明の第二の実施形態にかかる衛生洗浄装置のバキュームブレーカの模式断面図である。
【図６】本発明の第三の実施形態にかかる衛生洗浄装置のバキュームブレーカの模式上面図である。
【図７】図６に表したＡ−Ａでの模式断面図である。
【図８】図７に表した上ケースの模式上面図である。
【図９】本発明の第四の実施形態にかかる衛生洗浄装置のバキュームブレーカの模式断面図である。
【図１０】従来実施されている衛生洗浄装置の水路構成を表すブロック図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置１１が備えられたトイレ装置の模式斜視図である。  
このトイレ装置は、便器１０と、その上に設置された衛生洗浄装置１１と、を備える。衛生洗浄装置１１は、ケーシング１２と、ケーシング１２に開閉可能に軸支された便座１３および便ふた１４と、を有する。使用者は便座１３の上に腰掛け、局部洗浄の際にはケーシング１２に内蔵されたノズル（吐水手段）４４が伸出し、ノズル４４から吐水された水で局部を洗浄する。
【００２３】
図２は、本発明の第一の実施形態にかかる衛生洗浄装置の水路構成を表すブロック図である。  
図２に示したように、衛生洗浄装置１１の内部は、水道や貯水タンクなどの給水源２０に接続され、ノズル４４に至る流路（水路）２１を有する。給水源２０の下流には、バルブ（給水手段）２３が設けられる。バルブ２３は、流路開閉機構をもつ。バルブ２３の下流には、熱交換ユニット２５が設けられている。給水源２０から給水された水は、熱交換ユニット２５へと入り、熱交換ユニット２５は、その水をヒータで加熱し、所定温度の温水にする。なお本明細書において「水」という場合には、冷水のみならず、加熱されたお湯も含むものとする。
【００２４】
熱交換ユニット２５の下流には、電解槽ユニット３０が設けられる。そして、電解槽ユニット３０の上流側に逆流防止手段としてバキュームブレーカ５０ａ（第一のバキュームブレーカ）が設けられ、下流側に大気開放手段としてバキュームブレーカ５０ｂ（第二のバキュームブレーカ）が設けられる。バキュームブレーカ５０ｂの下流には流路調整弁４２が設けられ、流路調整弁４２は、ノズル４４と洗浄室４６とへ水路を分岐する。洗浄室４６は、ノズル４４の出入り口部に設けられており、ノズル４４の伸出、後退時に図示しない吐水口からノズル４４の胴体（表面）へ向けて洗浄水を噴出する。これにより、ノズル４４の胴体に付着した汚物を洗い落とすことが可能となる。
【００２５】
バキュームブレーカ５０ａ、５０ｂは、下流から上流への逆流を防止する役割を持つ。バキュームブレーカ５０ａ、５０ｂは、逆流防止のための吸気口を必要とする。なおこの吸気口は、バキュームブレーカ５０ａ、５０ｂのフロート弁（図４および図５参照）のごみ噛み時に給水源２０からフロート弁を介して流れてくる水を排水させるための排水口ともなる。各バキュームブレーカ５０ａ、５０ｂよりそれぞれ排水される水は、外部への漏水および製品内の電気部品に被水することなく便器１０内へ排水される必要がある。このため、ケーシング１２に排水経路を設け、バキュームブレーカ５０ａ、５０ｂから流出する水がその排水経路に必ず排水されるようにチューブ等のガイドが設けられている。これにより、バキュームブレーカ５０ａ、５０ｂから流出する水は、この排水経路を伝って排水される。
【００２６】
通常、複数のバキュームブレーカを設けた衛生洗浄装置においては、この排水経路及びガイドをバキュームブレーカの数に応じて複数設けていた。これに対して、本実施形態においては、図２に示すように、バキュームブレーカ５０ａ、５０ｂからの排水側の経路をこの排水経路に至るまでに合流させることでケーシング１２の排水経路が一つとなる。これについては、後に詳述する。
【００２７】
図３は、電解槽ユニット３０の内部構成を示す分解斜視図である。  
電解槽ユニット３０は、ケース３４の内部に一対の電極３２ａ、３２ｂを有する。水と接触する電極３２ａ、３２ｂの表面には、触媒層がコーティングされている。水は入水口３６から給水され、電極３２ａ、３２ｂの間に電流を流すことで水の電気分解を行う。これにより、例えば塩化物イオンを含んだ水は、次亜塩素酸などを含んだ機能水へと変換され、出水口３８から出水される。電解槽ユニット３０の入水口３６と出水口３８とは、ケース３４を挟んだ対角上に下から上へと配置されていることが望ましい。
【００２８】
図４は、本発明の第一の実施形態にかかる衛生洗浄装置のバキュームブレーカ５０ａ、５０ｂの模式断面図である。  
バキュームブレーカ５０ａ、５０ｂは、それぞれ、下ケース５６ａ、５６ｂと、上ケース５１ａ、５１ｂと、フロート弁５２ａ、５２ｂと、を有する。
【００２９】
下ケース５６ａ、５６ｂには、フロート弁５２ａ、５２ｂの台座５７ａ、５７ｂと、入水口５３ａ、５３ｂと、出水口５４ａ、５４ｂと、が設けられている。熱交換ユニット２５から流れてきた水は、入水口５３ａからバキュームブレーカ５０ａの内部に入り込み、台座５７ａを抜けて出水口５４ａから電解槽ユニット３０に向かって出水される。電解槽ユニット３０から流れてきた水または機能水は、入水口５３ｂからバキュームブレーカ５０ｂの内部に入り込み、台座５７ｂを抜けて出水口５４ｂからノズル４４に向けて出水される。
【００３０】
上ケース５１ａ、５１ｂには、それぞれ、吸気が可能な排水口５５ａ、５５ｂが設けられている。入水口５３ａ、５３ｂから水が供給されると、フロート弁５２ａ、５２ｂがリフトし排水口５５ａ、５５ｂを塞ぐ。この場合には、水は出水口５４ａ、５４ｂに流れる。一方、入水口５３ａ、５３ｂからの水の流れが止まると、フロート弁５２ａ、５２ｂが台座５７ａ、５７ｂに落ちて、排水口５５ａ、５５ｂからバキュームブレーカの内部にエアが吸気される。
【００３１】
これにより、入水口５３ａ、５３ｂからの入水が止まると、バキュームブレーカ５０ａ、５０ｂの内部にエアが入り込んで、２つのバキュームブレーカ５０ａ、５０ｂの間にある電解槽ユニット３０に水が残った状態となる。つまり、電解槽ユニット３０の内部に常時満水にすることができる。そのため、電解槽ユニット３０の電極３２ａ、３２ｂの局所的な部分に集中的に電流が流れることを防止することでき、電極３２ａ、３２ｂの機能低下を防ぐことができる。なお、バキュームブレーカ５０ｂよりも下流側の水はノズル４４から抜ける。
【００３２】
また、この各排水口５５ａ、５５ｂから排水される水がケーシング１２に設けられている排水経路を共用できるように、水の流入側が二股に分かれる排水口合流部材（排水ガイド）７０が設けられている。また、各排水口５５ａ、５５ｂが排水口合流部材７０の流入口７１、７２にそれぞれ接続されるように、チューブ等の配管部材６０、８０が排水口５５ａ、５５ｂと流入口７１、７２との間にそれぞれ接続されている。
【００３３】
本実施形態によれば、排水口５５ａ、５５ｂから排水される水は、ケーシング１２に設けられた排水経路に至る前に排水口合流部材７０により合流される。そのため、ケーシング１２に設けられる排水経路を共用し、一つの経路として形成することができる。これにより、衛生洗浄装置１１の小型化を図ることができる。
【００３４】
図５は、本発明の第二の実施形態にかかる衛生洗浄装置のバキュームブレーカ５０ａ、５０ｂの模式断面図である。  
通常、バキュームブレーカ５０ａ、５０ｂは、フロート弁５２ａ、５２ｂの台座となる下ケース５６ａ、５６ｂと、フロート弁５２ａ、５２ｂのリフト量をある一定に位置で抑える上ケース５１ａ、５１ｂと、を有する。これに対して、この上ケース５１ａ、５２ｂを図５の上ケース５１ｃのように一体成形にすることで、バキュームブレーカ５０ａ、５０ｂは一体となる。通常、複数個のバキュームブレーカを有する場合、各バキュームブレーカは、ケーシング１２へ固定される。これに対して、本実施形態によれば、上ケース５１ｃを一体で成形することにより、２個のバキュームブレーカが一体化される。そのため、１個のバキュームブレーカを固定する場合と同様となり、ケーシング１２への固定を簡素化することが可能となる。つまり、バキュームブレーカ５０ａ、５０ｂのケーシング１２への組立性を簡素化することができる。
【００３５】
図６は、本発明の第三の実施形態にかかる衛生洗浄装置のバキュームブレーカ５０ａ、５０ｂの模式上面図である。  
また、図７は、図６に表したＡ−Ａ部での模式断面図を示す。  
また、図８は、図７に表した上ケース５１ｄの模式上面図を示す。  
なお、図８は、ふさぎふた５８を取り除いた状態の上ケース５１ｄの上面模式図である。
【００３６】
本実施形態では、図８で示すように、２つのバキュームブレーカ５０ａ、５０ｂの上ケース５１ｄは、一体成形され、バキュームブレーカ５０ａとバキュームブレーカ５０ｂとで共用化されている。上ケース５１ｄには、各フロート弁５２ａ、５２ｂを介して流れる水が排水口７３に向かうように水路が設けられている。さらに、上ケース５１ｄは、その各水路の外周に沿ってふさぎふた５８で塞がれている。
【００３７】
２つの排水口５５ａ、５５ｂとを繋ぐ水路の途中には、排水口７３が形成されている。この排水口７３は、２つの排水口５５ａ、５５ｂとを繋ぐ水路を分断するように、より具体的には、水路の底面を分断するように形成されている。そして、排水口５５ａと排水口７３とを繋ぐ水路部分５９ａ（第一の排水経路）と、排水口５５ｂと排水口７３とを繋ぐ水路部分５９ｂ（第二の排水経路）と、は壁７４で仕切られている。このようにすることで、２つのバキュームブレーカ５０ａ、５０ｂのうちの一方のバキュームブレーカから排出された水は、他方のバキュームブレーカに流れ込むことなく、確実に排水口７３から排出される。そして、排水口７３から排出された水は、排水口合流部材７０（図４および図５参照）へ導かれる。
【００３８】
一方のバキュームブレーカから排出された水が、他方のバキュームブレーカに流れ込んでしまうと、熱交換ユニット２５で加熱された水が、ノズル４４に向かう流路系外に一旦抜けて水温が低下するおそれがある。そして、その水が再び流路に戻ることになるので、局部洗浄の際の水温が不安定に変化するおそれがある。また、一方のバキュームブレーカから排出された水が、他方のバキュームブレーカに流れ込んでしまうと、給水源２０から供給された水が電解槽ユニット３０を通過せずにノズル４４などから吐水されるおそれがある。そのため、機能水を生成すべきタイミングにおいて機能水が生成されないおそれがある。これに対して、本実施形態によれば、バキュームブレーカから漏れ出た水を確実に排水口７３から排出することで、局部洗浄の際の水温を安定させることができる。また、機能水を適切なタイミングで生成することができる。
【００３９】
図９は、本発明の第四の実施形態にかかる衛生洗浄装置のバキュームブレーカ５０ａ、５０ｂの模式断面図である。  
本実施形態では、図９に表したように、バキュームブレーカ５０ａ、５０ｂの下ケース５６ｃは、一体成形され、バキュームブレーカ５０ａとバキュームブレーカ５０ｂとで共用化されている。このように、図７に示すバキュームブレーカの下ケース５６ａ、５６ｂを図９に示す下ケース５６ｃのように一体にすることで、さらに部品点数を削減することが可能となる。これにより、衛生洗浄装置１１の小型化を図ることができる。また、バキュームブレーカ５０ａ、５０ｂの組立性の簡素化を図ることができる。
【００４０】
また第一から第四に示す実施形態のいずれにおいても、熱交換ユニット２５直後にある第一のバキュームブレーカ５０ａの下ケース５６ａ、５６ｃを熱交換ユニット２５と結合可能とすることで、第五の発明が実現可能となる。バキュームブレーカ５０ａの下ケース５６ａ、５６ｃと熱交換ユニット２５との結合はネジによる締結であってもよい。  
また、上記の実施形態では、バキュームブレーカ５０ａ、５０ｂを電解槽ユニット３０の上流および下流にそれぞれ配置した例について説明したが、熱交換ユニット２５の上流および下流にバキュームブレーカ５０ａ、５０ｂをそれぞれ配置してもよい。
【００４１】
以上説明したように、本実施形態によれば、給水源２０からノズル４４に至る流路２１に、バキュームブレーカ５０ａ、５０ｂが設けられている。また、バキュームブレーカ５０ａ、５０ｂの排水口５５ａ、５５ｂから排水される水は、ケーシング１２に設けられた排水経路に至る前に合流される。そのため、ケーシング１２に設けられる排水経路を共用し、一つの経路として形成することができる。これにより、衛生洗浄装置１１の小型化および組立性の簡素化を図ることができる。
【００４２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１１などが備える各要素の形状、寸法、材質、配置などやバキュームブレーカ５０ａ、５０ｂや電解槽ユニット３０や熱交換ユニット２５の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４３】
１０…便器、  １１…衛生洗浄装置、  １２…ケーシング、  １３…便座、  １４…便ふた、  ２０…給水源、  ２１…流路、  ２３…バルブ、  ２５…熱交換ユニット、  ３０…電解槽ユニット、  ３２ａ…電極、  ３２ｂ…電極、  ３４…ケース、  ３６…入水口、  ３８…出水口、  ４２…流路調整弁、  ４４…ノズル、  ４６…洗浄室、  ５０ａ…第一のバキュームブレーカ、  ５０ｂ…第二のバキュームブレーカ、  ５１ａ…上ケース、  ５１ｄ…上ケース、  ５２ａ…フロート弁、  ５２ｂ…フロート弁、  ５３ａ…入水口、  ５３ｂ…入水口、  ５４ａ…出水口、  ５４ｂ…出水口、  ５５ａ…排水口、  ５５ｂ…排水口、  ５６ｃ…下ケース、  ５７ａ…台座、  ５７ｂ…台座、  ５８…ふさぎふた、  ６０…配管部材、  ７０…排水口合流部材、  ７１…流入口、  ７３…排水口、  ７４…壁
【図１】
2011208432.tif 000003
【図２】
2011208432.tif 000004
【図３】
2011208432.tif 000005
【図４】
2011208432.tif 000006
【図５】
2011208432.tif 000007
【図６】
2011208432.tif 000008
【図７】
2011208432.tif 000009
【図８】
2011208432.tif 000010
【図９】
2011208432.tif 000011
【図１０】
2011208432.tif 000012